(57)【特許請求の範囲】
【請求項１】
繊維材または繊維強化材からなる補強材を緊張させて、構造物の貼付面に貼り付けるための、緊張貼付装置であって、
前記貼付面上に移動可能に配備される本体と、
一方側が固定部に固定されて前記貼付面上に敷設される索体と、
前記本体に搭載されて、前記索体の他方側を、前記本体の前方から引き寄せる索体引寄せ装置と、
前記本体に搭載されて、一方側が前記貼付面に固定された前記補強材の他方側を、前記本体の後方に向かうようにして前記貼付面に案内する、補強材案内装置と、
前記索体および前記補強材に所要の緊張力を付与する緊張力付与手段と、
を備え、
前記本体は、前記索体および前記補強材の緊張力により前記貼付面上に保持されるとともに、前記索体引寄せ装置による前記索体の引き寄せにより、前記索体の敷設経路に従って前記貼付面上を進行することを特徴とする、補強材の緊張貼付装置。
【請求項２】
請求項１に記載の緊張貼付装置において、
前記索体引寄せ装置は、前記索体を巻き取るウィンチからなることを特徴とする、補強材の緊張貼付装置。
【請求項３】
請求項２に記載の緊張貼付装置において、
前記緊張力付与手段は、
前記ウィンチが有する、前記索体を巻き取るためのドラムにその巻取方向に所要のトルクを付与するトルク制御手段と、
前記補強材案内装置が有する、前記補強材の他方側を前記貼付面に所要の速度で案内する案内手段と、
からなることを特徴とする、補強材の緊張貼付装置。
【請求項４】
請求項１ないし３のいずれか１項に記載の緊張貼付装置において、
前記補強材は、その補強材が巻かれたボビンから、前記補強材案内装置に供給されることを特徴とする、補強材の緊張貼付装置。
【請求項５】
請求項４に記載の緊張貼付装置において、
前記ボビンは、地上に配備されることを特徴とする、補強材の緊張貼付装置。
【請求項６】
請求項１ないし５のいずれか１項に記載の緊張貼付装置を用いて、繊維材または繊維強化材からなる補強材を緊張させて、構造物の貼付面に貼り付けることで、その構造物を補強する、構造物の補強方法であって、
前記索体を、前記構造物の貼付面上に敷設するとともに、前記本体を、前記貼付面上に配備し、
前記索体引寄せ装置によって、一方側が固定部に固定された前記索体の他方側を、前記本体の前方から引き寄せるとともに、前記補強材案内装置によって、一方側が前記貼付面に固定された前記補強材の他方側を、前記本体の後方に向かうようにして前記貼付面に案内することで、前記本体を、前記索体の敷設経路に従って前記貼付面上を進行させ、かつ、前記緊張力付与手段によって前記補強材に所要の緊張力を付与しながら、前記補強材を前記貼付面に貼り付けることを特徴とする、構造物の補強方法。
【発明の詳細な説明】
【０００１】
【発明の属する技術分野】
この発明は、構造物に繊維材または繊維強化材からなる補強材を貼り付けることで、その構造物を補強する、補強材の緊張貼付装置および構造物の補強方法に関するものである。
【０００２】
【従来の技術、および発明が解決しようとする課題】
従来、構造物として、例えば、橋や高架道路等のコンクリート桁あるいはプレストレストコンクリート桁を後から補強するにあたって、その桁の下面等の貼付面に、補強材としての炭素繊維シートを緊張させた状態で貼り付けることが考えられていた。しかし、桁の下面のような比較的真直ぐな面に炭素繊維シートを貼り付けることはできても、周面等の、曲面や折れ曲がった面等、様々な面に、炭素繊維シートを貼り付けることは容易ではなかった。
【０００３】
また、従来、例えば柱に炭素繊維シートをそのままの状態で巻き付けることで、その柱を補強することが行なわれていた。しかし、その炭素繊維シートは緊張されていないため、柱には、充分な補強の効果が得られなかった。
【０００４】
この発明は、上記した従来の欠点を解決するためになされたものであり、その目的とするところは、緊張した補強材を、様々な貼付面に貼り付けることができる、補強材の緊張貼付装置および、その緊張貼付装置を用いた構造物の補強方法を提供することにある。
【０００５】
また、他の目的は、タンク、橋脚、柱、パイプ等の構造物を、充分に補強することができる、構造物の補強方法を提供することにある。
【０００６】
【課題を解決するための手段】
この発明に係る補強材の緊張貼付装置および構造物の補強方法は、前記目的を達成するために、次の構成からなる。すなわち、
請求項１に記載の発明に係る補強材の緊張貼付装置は、繊維材または繊維強化材からなる補強材を緊張させて、構造物の貼付面に貼り付けるための、緊張貼付装置であって、本体と、索体と、索体引寄せ装置と、補強材案内装置と、緊張力付与手段とを備える。ここで、前記本体は、前記貼付面上に移動可能に配備される。前記索体は、一方側が固定部に固定されて前記貼付面上に敷設される。前記索体引寄せ装置は、前記本体に搭載されて、前記索体の他方側を、前記本体の前方から引き寄せる装置である。前記補強材案内装置は、前記本体に搭載されて、一方側が前記貼付面に固定された前記補強材の他方側を、前記本体の後方に向かうようにして前記貼付面に案内する装置である。また、前記緊張力付与手段は、前記索体および前記補強材に所要の緊張力を付与する手段である。そして、前記本体は、前記索体および前記補強材の緊張力により前記貼付面上に保持されるとともに、前記索体引寄せ装置による前記索体の引き寄せにより、前記索体の敷設経路に従って前記貼付面上を進行する。
【０００７】
これにより、索体は、一方側が固定部に固定されて貼付面上に敷設され、また、補強材は、一方側が貼付面に固定される。そして、本体に搭載された索体引寄せ装置が、索体の他方側を、本体の前方から引き寄せ、さらに、本体に搭載された補強材案内装置が、補強材の他方側を、本体の後方に向かうようにして貼付面に案内する。ここで、緊張力付与手段によって索体および補強材に付与された所要の緊張力により、本体は、保持される。そこで、索体引寄せ装置によって索体が引寄せられると、本体は、索体の敷設経路に従って貼付面上を進行し、貼付面に案内された補強材は、緊張力が付与された状態で、貼付面に貼り付けられる。こうして、緊張力が付与された補強材は、索体の敷設経路に沿って貼付面に貼り付けられることとなる。
【０００８】
また、請求項２に記載の発明に係る補強材の緊張貼付装置のように、請求項１に記載の緊張貼付装置において、前記索体引寄せ装置は、前記索体を巻き取るウィンチからなっていてもよい。
【０００９】
また、請求項３に記載の発明に係る補強材の緊張貼付装置のように、請求項２に記載の緊張貼付装置において、前記緊張力付与手段は、前記ウィンチが有する、前記索体を巻き取るためのドラムにその巻取方向に所要のトルクを付与するトルク制御手段と、前記補強材案内装置が有する、前記補強材の他方側を前記貼付面に所要の速度で案内する案内手段と、からなっていてもよい。こうして、トルク制御手段により、索体を巻き取るためのドラムにその巻取方向に所要のトルクが付与される。そして、案内手段により、補強材の他方側が、貼付面に所要の速度で案内される。このように、この補強材の他方側が貼付面に案内されると、その案内された分だけ、ドラムが前記トルクによりその巻取方向に回動して索体を巻き取り、本体は、索体の敷設経路に従って貼付面上を進行する。その一方、前記ドラムのトルクによって、索体に所要の緊張力が生じ、その索体の緊張力と対向するように、本体を通じて、補強材に所要の緊張力が生ずる。
【００１０】
また、請求項４に記載の発明に係る補強材の緊張貼付装置のように、請求項１ないし３のいずれか１項に記載の緊張貼付装置において、前記補強材は、その補強材が巻かれたボビンから、前記補強材案内装置に供給されてもよい。こうして、補強材が、ボビンから補強材案内装置に供給されるので、この補強材を、貼付面に、継続して貼り付けることができる。
【００１１】
また、請求項５に記載の発明に係る補強材の緊張貼付装置のように、請求項４に記載の緊張貼付装置において、前記ボビンは、地上に配備されるのが望ましい。こうして、ボビンが地上に配備されることで、ボビンに巻かれた補強材が消費されたときに、地上において、そのボビンを次のボビンと容易に交換することができる。
【００１２】
また、請求項６に記載の発明に係る構造物の補強方法は、請求項１ないし５のいずれか１項に記載の緊張貼付装置を用いて、繊維材または繊維強化材からなる補強材を緊張させて、構造物の貼付面に貼り付けることで、その構造物を補強する、構造物の補強方法である。この補強方法は、始めに、前記索体を、前記構造物の貼付面上に敷設するとともに、前記本体を、前記貼付面上に配備する。そして、前記索体引寄せ装置によって、一方側が固定部に固定された前記索体の他方側を、前記本体の前方から引き寄せるとともに、前記補強材案内装置によって、一方側が前記貼付面に固定された前記補強材の他方側を、前記本体の後方に向かうようにして前記貼付面に案内することで、前記本体を、前記索体の敷設経路に従って前記貼付面上を進行させ、かつ、前記緊張力付与手段によって前記補強材に所要の緊張力を付与しながら、前記補強材を前記貼付面に貼り付ける。
【００１３】
【００１４】
【００１５】
【００１６】
【発明の実施の形態】
以下、この発明に係る補強材の緊張貼付装置および構造物の補強方法の実施の形態を図面に基づいて説明する。
【００１７】
図１ないし図４は、本発明に係る補強材の緊張貼付装置および構造物の補強方法の第一の実施の形態を示す。図中符号１は、補強の対象となる、タンク、橋脚、柱等の立設構造物、あるいはその他の構造物、特に、コンクリート製とかプレストレストコンクリート製の構造物である。２は、繊維材からなる補強材としての、ＰＢＯ（ポリパラフェニレンベンゾビスオキサゾール）連続繊維シートである。３は、前記ＰＢＯ連続繊維シート２を緊張させて、前記構造物１の、例えば周面を構成する貼付面１ａに貼り付けるための、緊張貼付装置である。
【００１８】
この緊張貼付装置３は、前記貼付面１ａ上に移動可能に配備される本体４と、索体５と、索体引寄せ装置６と、補強材案内装置７と、緊張力付与手段と、を備えている。
【００１９】
ここで、本体４は、断面略Ｕ字状に折曲げ形成されて前後に延びるフレーム４ａと、そのフレーム４ａに回転自在に取り付けられた車輪４ｂ、４ｂとからなる。そして、これら車輪４ｂ、４ｂによって、本体４は、貼付面１ａ上を移動可能となっている。
【００２０】
索体５は、ワイヤロープ、チェーン等からなり、一方側５ａが固定部Ｋ（例えば、構造物１）に固定されて貼付面１ａ上に敷設される。図示実施の形態においては、索体５は、構造物１に巻き付けられるようにして敷設されており、その一方側５ａが、アンカー等により、構造物１の上端部分に固定されている。
【００２１】
索体引寄せ装置６は、本体４に搭載されて、索体５の他方側５ｂを、本体４の前方から引き寄せるものであり、例えば、索体５を巻き取るウィンチ６ａからなる。このウィンチ６ａは、モーター６ｂ、減速機構６ｃ、ドラム６ｄ、トルク制御手段としてのトルクリミッタ（図示せず）等から構成される。すなわち、モーター６ｂの回転が、減速機構６ｃを介してドラム６ｄに伝達され、このドラム６ｄに、索体５が巻き取られる。そして、トルクリミッタは、索体５を巻き取るためのドラム６ｄにその巻取方向に所要のトルクを付与するものであり、モーター６ｂからドラム６ｄに動力が伝達される間の、例えば、モーター６ｂ内、減速機構６ｃ部分、あるいはドラム６ｄ内等に配備される。
【００２２】
補強材案内装置７は、本体４に搭載されて、一方側２ａが貼付面１ａに固定されたＰＢＯ連続繊維シート２（図示実施の形態においては、ＰＢＯ連続繊維シート２の一方側２ａは、アンカー等により、構造物１の下端部分に固定されている。）の他方側２ｂを、本体４の後方に向かうようにして貼付面１ａに案内するものである。そして、この補強材案内装置７は、第１ないし第６ローラ７ａ、７ｂ、７ｃ、７ｄ、７ｅ、７ｆと、移動ローラとなる第３ローラ７ｃを上下方向に移動させる移動手段としてのシリンダー装置７ｇ、７ｇと、第１および第２ブレーキ手段７ｈ、７ｉとからなる。ここで、第１ないし第６ローラ７ａ、７ｂ、７ｃ、７ｄ、７ｅ、７ｆは、本体４の前方から後方に向かって順に配備されるとともに、隣同士が、上下に互い違いとなるように、詳細には、第１、第３、第５ローラ７ａ、７ｃ、７ｅが上方に位置し、第２、第４、第６ローラ７ｂ、７ｄ、７ｆが下方に位置するように配備されている。そして、ＰＢＯ連続繊維シート２が、第１ないし第６ローラ７ａ、７ｂ、７ｃ、７ｄ、７ｅ、７ｆに掛けられるようにして、それら第１ローラ７ａから第６ローラ７ｆに上下するようにして順に渡される。また、ＰＢＯ連続繊維シート２は、そのＰＢＯ連続繊維シート２が巻かれて、例えば地上Ｇに配備されたボビン（図示せず）から、補強材案内装置７に供給されており、この補強材案内装置７に供給されたＰＢＯ連続繊維シート２が、第１ローラ７ａから第６ローラ７ｆに順に渡されて、貼付面１ａに案内される。なお、移動ローラとなる第３ローラ７ｃを除く、第１ローラ７ａ、第２ローラ７ｂ、第４ローラ７ｄ、第５ローラ７ｅおよび第６ローラ７ｆは、固定ローラとなっている。
【００２３】
第１ブレーキ手段７ｈは、ＰＢＯ連続繊維シート２を、第３ローラ７ｃよりも案内元側、例えば第２ローラ７ｂに掛けられた部分で止めるためのものであり、その第２ローラ７ｂと、第１ブレーキ帯７ｊと、第１シリンダ装置７ｋ、７ｋとからなる。ここで、第１ブレーキ帯７ｊは、ＰＢＯ連続繊維シート２の、第２ローラ７ｂに掛けられた部分を覆うように配備されて、一端側が固定され、他端側が、第１シリンダ装置７ｋ、７ｋによって引き上げられたり下げられたりするようになっている。こうして、第１ブレーキ帯７ｊの他端側が引き上げられると、この第１ブレーキ帯７ｊと第２ローラ７ｂとで、ＰＢＯ連続繊維シート２を挟み込み、そのＰＢＯ連続繊維シート２は、第３ローラ７ｃよりも案内元側、つまり第２ローラ７ｂ部分で止められる。そして、第１ブレーキ帯７ｊの他端側が下げられると、ＰＢＯ連続繊維シート２は、その第２ローラ７ｂ部分で解放されることとなる。
【００２４】
第２ブレーキ手段７ｉは、ＰＢＯ連続繊維シート２を、第３ローラ７ｃよりも案内先側、例えば第４ローラ７ｄに掛けられた部分で止めるためのものであり、その第４ローラ７ｄと、第２ブレーキ帯７ｍと、第２シリンダ装置７ｎ、７ｎとからなる。ここで、第２ブレーキ帯７ｍは、第１ブレーキ帯７ｊと同様に、ＰＢＯ連続繊維シート２の、第４ローラ７ｄに掛けられた部分を覆うように配備されて、一端側が固定され、他端側が、第２シリンダ装置７ｎ、７ｎによって引き上げられたり下げられたりするようになっている。こうして、第２ブレーキ帯７ｎの他端側が引き上げられると、この第２ブレーキ帯７ｎと第４ローラ７ｄとで、ＰＢＯ連続繊維シート２を挟み込み、そのＰＢＯ連続繊維シート２は、第３ローラ７ｃよりも案内先側、つまり第４ローラ７ｄ部分で止められる。そして、第２ブレーキ帯７ｍの他端側が下げられると、ＰＢＯ連続繊維シート２は、その第４ローラ７ｄ部分で解放されることとなる。
【００２５】
この補強材案内装置７によると、ＰＢＯ連続繊維シート２が、第２ローラ７ｂ部分で止められ、第４ローラ７ｄ部分で解放された状態で、シリンダ装置７ｇ、７ｇによって第３ローラ７ｃが下げられると、ＰＢＯ連続繊維シート２の他方側２ｂは、貼付面１ａに所要の速度で案内される。このように、このＰＢＯ連続繊維シート２の他方側２ｂが貼付面１ａに案内されると、その案内された分だけ、ドラム６ｄが、そのドラム６ｄに付与されたトルクによりその巻取方向に回動して索体５を巻き取る。すなわち、ドラム６ｄは、付与されたトルクにより、第３ローラ７ｃの下降によるＰＢＯ連続繊維シート２のたるみを防止するように、索体５を巻き取り、本体４は、索体５の敷設経路に従って貼付面１ａ上を進行する。そして、この本体４の進行の結果として、ＰＢＯ連続繊維シート２の他方側２ｂは、貼付面１ａに案内される。この際、前記ドラム６ｄのトルクによって、索体５に所要の緊張力が生じ、その索体５の緊張力と対向するように、本体４を通じて、ＰＢＯ連続繊維シート２に所要の緊張力が生ずる。こうして、ドラム６ｄに、所要のトルクを付与するとともに、ＰＢＯ連続繊維シート２を貼付面１ａに所要の速度で案内することで、本体４を進行させることができ、そして、索体５およびＰＢＯ連続繊維シート２に所要の緊張力を付与することができる。
【００２６】
そして、ＰＢＯ連続繊維シート２が、第４ローラ７ｄ部分で止められ、第２ローラ７ｂ部分で解放された状態で、シリンダ装置７ｇ、７ｇによって第３ローラ７ｃが上げられると、ＰＢＯ連続繊維シート２は、ボビンから本体４に送り込まれる。この際、本体４は停止しているが、上記と同様に、所要のトルクが付与されたドラム６ｄを介して、索体５には所要の緊張力が付与され、索体５および本体５を介して、ＰＢＯ連続繊維シート２には、所要の緊張力が付与される。
【００２７】
このようにして、第３ローラが上下動することで、本体４の移動と、停止が繰り返されて、その本体４の移動中に、ＰＢＯ連続繊維シート２が、緊張した状態で貼付面１ａに貼り付けられる。勿論、このとき、図示しないが、ＰＢＯ連続繊維シート２には、例えば、第６ローラ７ｆよりも後方にて、接着剤が塗布される。
【００２８】
緊張力付与手段は、索体５およびＰＢＯ連続繊維シート２に所要の緊張力を付与するものであり、前述のように、ウィンチ６ａが有する、ドラム６ｄにその巻取方向に所要のトルクを付与するトルク制御手段としてのトルクリミッタと、補強材案内装置７が有する、ＰＢＯ連続繊維シート２の他方側２ｂを貼付面１ａに所要の速度で案内する案内手段とからなる。
【００２９】
以上のようにして、本体４は、索体５およびＰＢＯ連続繊維シート２の緊張力により貼付面１ａ上に保持されるとともに、索体引寄せ装置６としてのウィンチ６ａによる索体５の引き寄せにより、索体５の敷設経路に従って貼付面１ａ上を進行することとなる。
【００３０】
すなわち、この緊張貼付装置３を用いた、構造物１の補強方法は、補強材としてのＰＢＯ連続繊維シート２を緊張させて構造物１の貼付面に貼り付けることで、その構造物１を補強する補強方法であって、始めに、索体５を、構造物１の貼付面１ａ上に敷設するとともに、本体４を、貼付面１ａ上に配備する。次いで、索体引寄せ装置６としてのウィンチ６ａによって、一方側５ａが固定部Ｋに固定された索体５の他方側５ｂを、本体４の前方から引き寄せるとともに、補強材案内装置７によって、一方側２ａが貼付面１ａに固定されたＰＢＯ連続繊維シート２の他方側２ｂを、本体４の後方に向かうようにして貼付面１ａに案内することで、本体４を、索体５の敷設経路に従って貼付面１ａ上を進行させ、かつ、緊張力付与手段によってＰＢＯ連続繊維シート２に所要の緊張力を付与しながら、ＰＢＯ連続繊維シート２を貼付面１ａに貼り付ける。
【００３１】
次に、以上の構成からなる緊張貼付装置３および構造物１の補強方法の作用効果について説明する。この緊張貼付装置３によると、索体５は、一方側５ａが固定部Ｋに固定されて貼付面１ａ上に敷設され、また、ＰＢＯ連続繊維シート２は、一方側２ａが貼付面１ａに固定される。そして、本体４に搭載されたウィンチ６ａが、索体５の他方側５ｂを巻き取るようにして、その他方側５ｂを、本体４の前方から引き寄せ、さらに、本体４に搭載された補強材案内装置７が、ＰＢＯ連続繊維シート２の他方側２ｂを、本体４の後方に向かうようにして貼付面１ａに案内する。ここで、緊張力付与手段によって索体５およびＰＢＯ連続繊維シート２に付与された所要の緊張力により、本体４は、貼付面１ａ上に保持される。そこで、ウィンチ６ａによって索体５が引寄せられると、本体４は、索体５の敷設経路に従って貼付面１ａ上を進行し、貼付面１ａに案内されたＰＢＯ連続繊維シート２は、緊張力が付与された状態で、貼付面１ａに貼り付けられる。こうして、緊張力が付与されたＰＢＯ連続繊維シート２は、索体５の敷設経路に沿って、構造物１の貼付面１ａに、例えば螺旋状に巻き付けられるようにして貼り付けられることとなる。したがって、この緊張したＰＢＯ連続繊維シート２を、索体５の敷設が可能となる様々な貼付面１ａに貼り付けることができる。
【００３２】
また、ＰＢＯ連続繊維シート２が、ボビンから補強材案内装置７に供給されるので、このＰＢＯ連続繊維シート２を、貼付面１ａに、継続して貼り付けることができる。しかも、このボビンが地上Ｇに配備されることで、ボビンに巻かれたＰＢＯ連続繊維シート２が消費されたときに、地上Ｇにおいて、そのボビンを次のボビンと容易に交換することができる。
【００３３】
図５は、本発明に係る構造物の補強方法の第二の実施の形態を示す。図中符号１１は、補強の対象となる、タンク、橋脚、柱等の立設構造物としての、例えば橋脚、特に、コンクリート製とかプレストレストコンクリート製の橋脚である。２は、第一の実施の形態と同様に、繊維材または繊維強化材からなる補強材としての、ＰＢＯ連続繊維シートである。
【００３４】
立設構造物としての橋脚１１の補強方法は、補強材としてのＰＢＯ連続繊維シート２を緊張させて、橋脚１１の周面１１ａに貼り付けることで、その橋脚１１を補強する補強方法であって、ＰＢＯ連続繊維シート２を、緊張させて、周面１１ａに巻き付けるようにして貼り付ける。このとき、ＰＢＯ連続繊維シート２は、周面１１ａに、螺旋状に、かつ、一部が重なるように巻き付けられる。そして、図示実施の形態においては、ＰＢＯ連続繊維シート２は、周面１１ａの上下の一方側としての上方側１１ｂにて巻付けが開始されて、その上方側１１ｂから、上下の他方側としての下方側１１ｃまで螺旋状に巻き付けられ、さらに、下方側１１ｃから上方側１１ｂまで螺旋状に巻き付けられて、上方側１１ｂにて巻付けが終了する。
【００３５】
この補強方法によると、橋脚１１は、その周面１１ａにＰＢＯ連続繊維シート２が緊張した状態で巻き付けられることで補強される。このように、橋脚１１は、その周面１１ａにＰＢＯ連続繊維シート２が緊張した状態で巻き付けられるので、この橋脚１１を、充分に補強することができる。そして、ＰＢＯ連続繊維シート２が、周面１１ａに、一部が重なるようにして螺旋状に巻き付けられることで、ＰＢＯ連続繊維シート２は、周面１１ａにむらなく巻き付けられ、橋脚１１をより確かに補強することができる。さらに、ＰＢＯ連続繊維シート２の巻付けの開始と終了とが、橋脚１の周面１１ａにおける、上下の一方側（図示実施の形態においては、上方側１１ｂ）となるため、ＰＢＯ連続繊維シート２の巻付けの開始と終了部分における定着を、橋脚１１の一側で行なうことができ、定着作業が容易となる。しかも、ＰＢＯ連続繊維シート２は、行きの巻付け（図示実施の形態においては、上方側１１ｂから下方側１１ｃへの巻付け）と、帰りの巻付け（図示実施の形態においては、下方側１１ｃから上方側１１ｂへの巻付け）とが、交差することとなるため、橋脚１１をより強固に補強することができる。
【００３６】
なお、本発明は、上述した実施の形態に限定されるわけではなく、その他種々の変更が可能である。例えば、第一の実施の形態において、ＰＢＯ連続繊維シート２は、円柱、角柱、円錐、角錐、あるいはそれらの組合せ等からなる構造物１の周面を構成する貼付面１ａに、巻き付けられるようにして貼り付けられてもよいが、構造物の、垂直面あるいは水平面等の平面を構成する貼付面に真直ぐに貼り付けられてもよく、また、湾曲面を構成する貼付面に貼り付けられてもよい。
【００３７】
また、第一の実施の形態において、ウィンチ６ａは、索体５を本体４の前方から引き寄せることができれば、本体４の、前部、中央部、あるいは後部等、いずれの位置に搭載されてもよい。同様にして、補強材案内装置７は、ＰＢＯ連続繊維シート２を本体４の後方に向かうようにして貼付面１ａに案内することができれば、本体４のいずれの位置に搭載されてもよい。
【００３８】
また、第一の実施の形態において、補強材案内装置７は、移動ローラとしての第３ローラ７ｃを含む、第１ないし第６ローラ７ａ、７ｂ、７ｃ、７ｄ、７ｅ、７ｆ等からならなくてもよく、例えば、ＰＢＯ連続繊維シート２を、所定の速度で連続して送り出す構造のものであってもよい。
【００３９】
また、第一の実施の形態においては、緊張力付与手段は、ウィンチ６ａ側において、索体５に所要の緊張力を付与し、補強材案内装置７側において、ＰＢＯ連続繊維シート２を貼付面１ａに所要の速度で案内しているが、反対に、ウィンチ６ａ側において、索体５を所要の速度で巻き取り、補強材案内装置７側において、ＰＢＯ連続繊維シート２に所要の緊張力を付与してもよい。
【００４０】
また、第一の実施の形態において、索体引寄せ装置６は、索体５を巻き取るウィンチ６ａからならなくてもよく、例えば、索体５を巻き取ることなく引き寄せる構造のものであってもよい。また、ボビンは、必ずしも地上Ｇに配備されなくてもよく、例えば、本体４に搭載されてもよく、また、その他の場所に配備されてもよい。
【００４１】
また、第二の実施の形態において、ＰＢＯ連続繊維シート２は、橋脚１１の周面１１ａの、上方側１１ｂから下方側１１ｃへ、続いて、下方側１１ｃから上方側１１ｂへと、往復するように螺旋状に巻き付けられなくてもよく、反対に、下方側１１ｃから上方側１１ｂへ、続いて、上方側１１ｂから下方側１１ｃへと、往復するように螺旋状に巻き付けられてもよい。さらには、ＰＢＯ連続繊維シート２は、周面１１ａに往復するように巻き付けられなくてもよく、例えば、図６に示すように、上方側１１ｂから下方側１１ｃへと螺旋状に巻き付けられてもよく、また、反対に、図７に示すように、下方側１１ｃから上方側１１ｂへと螺旋状に巻き付けられてもよい。
【００４２】
また、第二の実施の形態において、立設構造物は、橋脚１１でなくてもよく、例えば、タンク、柱、橋台等、立設した構造物であればどのような構造物であってもよい。
【００４３】
また、第二の実施の形態において、ＰＢＯ連続繊維シート２（補強材）を緊張させて橋脚１１（立設構造物）の周面１１ａに巻き付けるには、第一の実施の形態で示した緊張貼付装置３を用いることができる。
【００４４】
また、第一および第二の実施の形態において、タンク、橋脚、柱等の構造物は、コンクリート製とかプレストレストコンクリート製の構造物の他に、金属製等の構造物であってもよい。
【００４５】
もっとも、本発明に係る構造物の補強方法は、立設した構造物、すなわち、縦方向に延びる構造物に限らず、例えば、管路を形成するパイプ等の横方向に延びる構造物にも実施可能である。
【００４６】
また、繊維材からなる補強材は、ＰＢＯ連続繊維シート２でなくてもよく、例えば、炭素繊維、ガラス繊維、アラミド繊維等の、繊維シートであってもよい。また、補強材は、繊維材からなるものでなくてもよく、例えば、ＰＢＯ繊維強化プラスチック、ガラス繊維強化プラスチック、その他の繊維強化プラスチック等の、繊維強化材からなるものであってもよい。
【００４７】
また、補強材は、構造物の貼付面１ａ（周面１１ａ）に、螺旋状に、かつ、一部が重なるように巻き付けられてもよく、また、螺旋状に、かつ、重ならないように巻きつけられてもよいが、必ずしも螺旋状でなくてもよい。
【００４８】
【発明の効果】
以上、詳述したところから明らかなように、この発明に係る補強材の緊張貼付装置および構造物の補強方法によれば、次の効果がある。
【００４９】
請求項１または２に記載された補強材の緊張貼付装置、および、請求項６に記載された構造物の補強方法によれば、緊張力が付与された補強材が、索体の敷設経路に沿って貼付面に貼り付けられるので、この緊張した補強材を、索体の敷設が可能となる様々な貼付面に貼り付けることができる。
【００５０】
また、請求項３に記載された補強材の緊張貼付装置によれば、加えて、ウィンチのドラムに、所要のトルクを付与するとともに、補強材を貼付面に所要の速度で案内することで、本体を進行させることができ、そして、索体および補強材に所要の緊張力を付与することができる。
【００５１】
また、請求項４に記載された補強材の緊張貼付装置によれば、加えて、補強材を、ボビンから補強材案内装置に供給することで、この補強材を、貼付面に、継続して貼り付けることができる。
【００５２】
また、請求項５に記載された補強材の緊張貼付装置によれば、加えて、ボビンに巻かれた補強材が消費されたときに、地上において、そのボビンを次のボビンと容易に交換することができる。
【図面の簡単な説明】
【図１】  この発明に係る補強材の緊張貼付装置および構造物の補強方法を示す第一の実施の形態の、全体図である。
【図２】  同じく、緊張貼付装置の斜視図である。
【図３】  同じく、緊張貼付装置の断面図である。
【図４】  同じく、ブレーキ手段の、拡大斜視図である。
【図５】  この発明に係る構造物の補強方法を示す第二の実施の形態の、正面図である。
【図６】  第二の実施の形態の変形例を示す、正面図である。
【図７】  第二の実施の形態の他の変形例を示す、正面図である。
【符号の説明】
１  構造物                            １ａ  貼付面
２  ＰＢＯ連続繊維シート（補強材）    ２ａ  一方側
２ｂ  他方側                          ３  緊張貼付装置
４  本体                              ５  索体
５ａ  一方側                          ５ｂ  他方側
６  索体引寄せ装置                    ６ａ  ウィンチ
６ｄ  ドラム                          ７  補強材案内装置
１１  橋脚（構造物）                  １１ａ  周面
１１ｂ  上方側（一方側）              １１ｃ  下方側（他方側）
Ｋ  固定部                            Ｇ  地上
【図１】
0003962302.tif 000002
【図２】
0003962302.tif 000003
【図３】
0003962302.tif 000004
【図４】
0003962302.tif 000005
【図５】
0003962302.tif 000006
【図６】
0003962302.tif 000007
【図７】
0003962302.tif 000008